(57)【要約】【課題】家庭及び公共施設トイレなどの洗浄機能付き洋便器において便座蓋に組み込まれて一体化した円筒形ロール式便座シートペーパーホルダーを提供する。【解決手段】この考案は従来の便座シートペーパーホルダーの不具合を解消し、円筒形ロール式便座ペーパーホルダーが便座蓋に組み込まれて一体化したことを特徴とする。【選択図】図４
2013123637.tif 000002
【特許請求の範囲】
【請求項１】
ロール式便座シートペーパーホルダーが便座の蓋に組み込んで一体化していることを特徴とした円筒形ロール式便座シートペーパーホルダー一体型便座蓋である。
【請求項２】
ロール式便座シートペーパーホルダーを便座蓋の上部と下部に半分ずつ突出させて円筒形状のホルダーを組み込んだ一体型の蓋にしたことを特徴とした円筒形ロール式便座シートペーパーホルダー一体型便座蓋である。
【請求項３】
ペーパーホルダーの中央にペーパー用調整アジャスターを設置するとロール式便座シートだけでなく、トイレットペーパー２個を挿入しホルダーの中からペーパー引き出し用溝を経由して平行に２本引き出して便座シートとして利用できることを特徴とする円筒形ロール式便座シートペーパーホルダ一体型便座蓋である。
【発明の詳細な説明】
【技術分野】
【０００１】  家庭用及び公共施設用トイレの洗浄機能付き洋便器において、衛生面に考慮した便座ペーパーシートを容易に敷くことができる、ホルダーが便座の蓋に組み込まれて一体化した円筒形ロール式便座シートホルダー一体型便座蓋に関すること。
【背景技術】
【０００２】  従来の便座シートは壁掛け式のホルダーより取り出して便座に敷くタイプのものが大半で折りたたまれている便座シートを広げて使用する時間的煩わしさがあった。また、便座蓋内部に便座シートをひらたく収納しているものや、ロール式便座シートホルダーの設置場所が便器自体に固定されていた。
【発明の概要】
【発明が解決しようとする課題】
【０００３】  現在市販されている便座シートは壁掛け式のホルダーより取り出して便座に敷くものが大半で折りたたまれて収納されていることから、広げて使用する時間的煩わしさがあり、また現在の洗浄機能付き洋便器上部には洗浄機能のためのセンサー用配線等が組み込まれている機能収納ボックスが設置されているので面積に空き部分がなく、その部分または後部に便座シートペーパーホルダーを取り付けようとするとホルダーの設置のために後部タンクと便器自体を離さなければならなかったり、また、ホルダー部をかわすために便座蓋可動部分を伸ばしたりすることは便器の形状に合わなくなるといった不具合がおこり、便座シートペーパーホルダーを洋便器本体もしくは便座本体に設置しようとすると設置場所確保が難しい問題があった。
【課題を解決するための手段】
【０００４】  本考案は便座シートを所定の場所から取り出して便座に敷くという不具合をロールに巻かれている便座シートが便座蓋に組み込まれて一体化した円筒形状のホルダーの中から引き出されることにより便座シートを広げる時間的煩わしさがなくなり、そのロール式便座シートペーパーホルダーを便座蓋の上部と下部に半分ずつ突出させた円筒形状のホルダーを組み込んだ一体型で、便座蓋下部は便座蓋と一体化している。便座蓋上部は２箇所のヒンジで接合されたペーパー入替え用ホルダー蓋で、便座蓋が閉まった状態のとき、奥から手前に開く。便座蓋を上部と下部に半分ずつ突出させたことにより便座蓋を開いたときの後部タンクの隙間と便座蓋内部の隙間に収まるため、現状の後部タンクと便器の配置位置を変える必要がなく便座蓋の機能も保たれ、従来の不具合を解決している。ペーパーホルダーの中央にペーパー用調整アジャスターを設置するとロール式便座シートだけでなく、トイレットペーパー２個を挿入することによりホルダーの中からペーパー引き出し用溝を経由して平行に２本引き出して便座シートとして利用することもできる。
【発明の効果】
【０００５】  本考案は、従来の所定の場所から取り出して便座に設置するという不具合をロールに巻かれている便座シートが便座蓋に組み込まれて一体化したホルダーの中から引き出されることにより、便座シートを広げる時間的煩わしさがなくなり、そのロール式便座シートペーパーホルダーを便座蓋の上部と下部に半分ずつ突出させて円筒形状のホルダーを組み込んだ一体型の蓋にしたことにより便座蓋を開いた時の後部タンクの隙間と便座蓋内部の隙間に収まるため、現状の後部タンクと便器の配置位置を変える必要がなく便座蓋の機能も保たれ、開閉の邪魔にもならない。また、ペーパーホルダーの中央にペーパー用調整アジャスターを設置するとロール式便座シートだけでなく、トイレットペーパー２個を挿入することによりホルダーの中からペーパー引き出し用溝を経由して平行に２本引き出して便座シートとして利用することもできる。複雑な形状でないためロール式便座シートもしくはトイレットペーパーを外せば掃除はしやすく、複雑な機能を必要としないため低コストで量産できるものと思われる。
【図面の簡単な説明】
【０００６】
【図１】ロール式便座シートペーパーホルダー一体型便座蓋が閉じている状態を表す姿図である。
【図２】ロール式便座シートペーパーホルダー一体型便座蓋が開いている状態を表す姿図である。
【図３】ロール式便座シートペーパーホルダー一体型便座蓋のペーパーホルダー蓋が開いた状態を表す姿図である。
【図４】ロール式便座シートペーパーホルダー一体型便座蓋からロール式便座シートがペーパー引き出し用溝を経由して引き出され便座に設置された状態を表す姿図である。
【図５】ロール式便座シートペーパーホルダー一体型便座蓋のペーパーホルダーの中央にペーパー用調整アジャスターを設置した状態を表す姿図である。
【図６】ロール式便座シートペーパーホルダー一体型便座蓋よりトイレットペーパー２個がペーパー引き出し用溝を経由して平行に２本引き出され便座に設置された状態を表す姿図である。
【発明を実施するための形態】
【０００７】  以下、本発明の実施の形態を図１〜図６に基づいて説明する。
【０００８】  図においては、洗浄機能付き洋便器１の上に設置された円筒形ロール式便座シートペーパーホルダー一体型便座蓋である。ロール式便座シートペーパーホルダーを便座蓋２の上部と下部に半分ずつ突出させた便座蓋下部４は便座蓋２と一体化している。便座蓋上部は便座蓋２と２箇所のヒンジ５で接合されたペーパー入替え用ホルダー蓋３であり、これが閉じることによって円筒形状のホルダーとなる。このペーパー入替え用ホルダー蓋３は便座蓋２が閉じた状態の時、奥から手前に開く。ペーパー入替え用ホルダー蓋３にロール式便座シート６を後部タンク方向に向かって回転するように挿入し、ペーパー引き出し用溝８を経由して引き出し、便座９に敷いて使用する。また、ロール式便座シートペーパーホルダー一体型便座蓋のペーパーホルダーの中央にペーパー用調整アジャスター１０を設置して２個のトイレットペーパー１１を後部タンク７方向に向かって回転するように挿入し、ペーパー引き出し用溝８を経由して平行に２本引き出し、便座９に敷いて使用することもできる。
【符号の説明】
【０００９】１    洗浄機能付き洋便器
２    便座蓋
３    ペーパー入替え用ホルダー蓋
４    便座蓋下部
５    ヒンジ
６    ロール式便座シート
７    後部タンク
８    ペーパー引き出し用溝
９    便座
１０  ペーパー用調整アジャスター
１１  トイレットペーパー
【図１】
2013123637.tif 000003
【図２】
2013123637.tif 000004
【図３】
2013123637.tif 000005
【図４】
2013123637.tif 000006
【図５】
2013123637.tif 000007
【図６】
2013123637.tif 000008